(57)【要約】【課題】特定の表示タイミングで表示する画像にユーザーの意図を確実に反映させる。【解決手段】  デジタルカメラにおいて、電源投入直後の起動タイミングで表示すべき起動画像をユーザーに選択させたとき、選択された画像が連写モードで撮影された連写画像の中の１枚であった場合には（ＳＡ３：ＹＥＳ）、連写画像における選択された画像以外の他の連写画像（関連画像）を、選択された画像と相前後して表示すべき起動画像として設定する（ＳＡ５〜ＳＡ９）。【選択図】図４
2011139178.tif 000002
【特許請求の範囲】
【請求項１】
複数の画像を格納した画像記憶手段と、
この画像記憶手段に、使用者に指定された第１の画像に関連付けられている関連画像が格納されているか否かを確認する確認手段と、
この確認手段によって画像記憶手段に格納されていることが確認された関連画像を、特定の表示タイミングで前記第１の画像と相前後して前記表示手段に表示すべき第２の画像として設定する設定手段と
を備えたことを特徴とする請求項１記載の画像表示装置。
【請求項２】
前記設定手段は、画像記憶手段に複数の関連画像が格納されている場合には、規定数を上限として複数の関連画像を第２の画像として設定することを特徴とする請求項１記載の画像表示装置。
【請求項３】
前記確認手段が前記画像記憶手段に格納されているか否かを確認する関連画像は、連続撮影によって前記第１の画像と相前後して取得された画像であることを特徴とする請求項１又は２記載の画像表示装置。
【請求項４】
前記設定手段は、前記画像記憶手段に、撮影順が前記第１の画像よりも先の先行画像と、撮影順が前記第１の画像よりも後の後続画像とからなる複数の関連画像が格納されている場合には、先行画像と後続画像との双方を第２の画像として設定することを特徴とする請求項３記載の画像表示装置。
【請求項５】
前記特定の表示タイミングにおいて、前記第１の画像と前記第２の画像とを撮影順に従い相前後して前記表示手段に表示させる表示制御手段を備えたことを特徴とする請求項３又は４記載の画像表示装置。
【請求項６】
前記特定の表示タイミングは、当該装置における電源投入直後の起動タイミングである  ことを特徴とする請求項１乃至５いずれか記載の画像表示装置。
【請求項７】
使用者に指定された第１の画像に関連付けられている関連画像が画像記憶手段に格納されているか否かを確認する工程と、
画像記憶手段に格納されていることが確認できた関連画像を、特定の表示タイミングで前記第１の画像と相前後して前記表示手段に表示すべき第２の画像として設定する工程と
を含むことを特徴とする表示設定方法。
【請求項８】
コンピュータを、
使用者に指定された第１の画像に関連付けられている関連画像が画像記憶手段に格納されているか否かを確認する確認手段と、
この確認手段によって画像記憶手段に格納されていることが確認された関連画像を、特定の表示タイミングで前記第１の画像と相前後して前記表示手段に表示すべき第２の画像として設定する設定手段と
として機能させることを特徴とするプログラム。
【発明の詳細な説明】
【技術分野】
【０００１】
本発明は、使用者に設定された画像を特定の表示タイミングで表示する技術に関するものである。
【背景技術】
【０００２】
近年、デジタルカメラ等の電子機器においては、電下投入直後の起動タイミングで行われるハードウェア及びソフトウェア双方における種々の初期化作業に際し、ユーザーに興味を惹かせる目的で、メーカーやブランドのロゴ（ロゴタイプ）等からなる起動画面を数秒間表示する機能を備えたものがある。また、近年では上記の起動画面をユーザーが自由に設定でき、起動時にはユーザーの好みに応じた静止画像を数秒間表示させる電子機器も存在する。電子機器において下投入直後の起動タイミングで起動画面を表示する技術については、例えば下記特許文献１においても公知である。
【先行技術文献】
【特許文献】
【０００３】
【特許文献１】特開２００６−１０９３３２号公報
【発明の概要】
【発明が解決しようとする課題】
【０００４】
ところで、例えばデジタルカメラにおいてユーザーが過去に撮影した静止画像を起動画面として設定した場合、設定した静止画像が通常の撮影（単写撮影）で記録されたものであれば、起動画面はそれ単独で意味をなすものとなる。
【０００５】
しかしながら、設定した静止画像が連写等により撮影された一連の撮影画像のうちの１枚であったときには、設定した静止画像が単独ではあまり意味をなさない画像である場合が多いため、ユーザーが起動画面に使用する画像として特定の静止画像を選択したことの意味が薄れてしまう。したがって、起動画面に使用する画像として、連写等により撮影された一連の撮影画像のうちの１枚が設定された場合においては、ユーザーの意図を起動画面に反映させることができないという問題があった。
【０００６】
本発明は、かかる従来の課題に鑑みてなされたものであり、特定の表示タイミングで表示する画像にユーザーの意図を確実に反映させることができる画像表示技術を提供することを目的とする。
【課題を解決するための手段】
【０００７】
前記課題を解決するため、請求項１記載の発明に係る画像表示装置にあっては、複数の画像を格納した画像記憶手段と、この画像記憶手段に、使用者に指定された第１の画像に関連付けられている関連画像が格納されているか否かを確認する確認手段と、この確認手段によって画像記憶手段に格納されていることが確認された関連画像を、特定の表示タイミングで前記第１の画像と相前後して前記表示手段に表示すべき第２の画像として設定する設定手段とを備えたことを特徴とする。
【０００８】
また、請求項２記載の発明に係る画像表示装置にあっては、前記設定手段は、画像記憶手段に複数の関連画像が格納されている場合には、規定数を上限として複数の関連画像を第２の画像として設定することを特徴とする。
【０００９】
また、請求項３記載の発明に係る画像表示装置にあっては、前記確認手段が前記画像記憶手段に格納されているか否かを確認する関連画像は、連続撮影によって前記第１の画像と相前後して取得された画像であることを特徴とする。
【００１０】
また、請求項４記載の発明に係る画像表示装置にあっては、前記設定手段は、前記画像記憶手段に、撮影順が前記第１の画像よりも先の先行画像と、撮影順が前記第１の画像よりも後の後続画像とからなる複数の関連画像が格納されている場合には、先行画像と後続画像との双方を第２の画像として設定することを特徴とする。
【００１１】
また、請求項５記載の発明に係る画像表示装置にあっては、前記特定の表示タイミングにおいて、前記第１の画像と前記第２の画像とを撮影順に従い相前後して前記表示手段に表示させる表示制御手段を備えたことを特徴とする。
【００１２】
また、請求項６記載の発明に係る画像表示装置にあっては、前記特定の表示タイミングは、当該装置における電源投入直後の起動タイミングであることを特徴とする。
【００１３】
また、請求項７記載の発明に係る表示設定方法にあっては、使用者に指定された第１の画像に関連付けられている関連画像が画像記憶手段に格納されているか否かを確認する工程と、画像記憶手段に格納されていることが確認できた関連画像を、特定の表示タイミングで前記第１の画像と相前後して前記表示手段に表示すべき第２の画像として設定する工程とを含むことを特徴とする。
【００１４】
また、請求項８記載の発明に係るプログラムにあっては、コンピュータを、使用者に指定された第１の画像に関連付けられている関連画像が画像記憶手段に格納されているか否かを確認する確認手段と、この確認手段によって画像記憶手段に格納されていることが確認された関連画像を、特定の表示タイミングで前記第１の画像と相前後して前記表示手段に表示すべき第２の画像として設定する設定手段ととして機能させることを特徴とする。
【発明の効果】
【００１５】
本発明によれば、特定の表示タイミングで表示する画像にユーザーの意図を確実に反映させることが可能となる。
【図面の簡単な説明】
【００１６】
【図１】本発明の実施の形態を示すデジタルカメラの背面図である。
【図２】デジタルカメラの電気的構成の概略を示すブロック図である。
【図３】静止画ファイルの構造を示す概念図である。
【図４】ＣＰＵが実行する起動画面設定処理を示すフローチャートである。
【図５】起動画面として設定される画像の例を示す説明図である。
【図６】ＣＰＵが実行する起動画面表示処理を示すフローチャートである。
【図７】複数の静止画像からなる起動画面の変化を示した遷移図である。
【発明を実施するための形態】
【００１７】
以下、本発明の実施形態について説明する。本実施形態は、電源投入直後の起動タイミングで各種の初期設定を行う間に起動画面を数秒間表示する機能を備えるとともに、ユーザーが過去に撮影した任意の静止画像を起動画面で使用する画像として設定することができるデジタルカメラに関するものである。
【００１８】
図１は、本発明の実施形態として例示するデジタルカメラ１の外観図であり、図１（ａ）はデジタルカメラ１を正面を示す斜視図、図１（ｂ）は背面を示す斜視図である。図１に示したようにデジタルカメラ１は、薄型の本体２を有している。本体２の上面には電源キー３と、シャッターキー４とが設けられており、本体２の正面側には撮影レンズ５が設けられている。また、本体２の背面には、液晶モニタ６と、モード切換スイッチ７、メニュー（ＭＥＮＵ）キー８、カーソルキー９が設けられており、カーソルキー９の中央部にはセットキー１０が設けられている。
【００１９】
液晶モニタ６は、記録モードの設定中にはＥＶＦ（Electric View Finder）として機能し、被写体の画像をライブビュー表示し、再生モードが設定中には、記録済の静止画像や動画像を表示する。また、液晶モニタ６は、デジタルカメラ１の動作中には種々の設定画面やメニュー画面も表示する。さらに、液晶モニタ６は、電源投入時には先に述べた起動画面を表示することにより本発明の表示手段としても機能する。
【００２０】
モード切換スイッチ７は、デジタルカメラ１の基本の動作モードである撮影用の記録モードと、記録画像の再生用の再生モードとの切り替えを行うためのスライドスイッチである。メニューキー８は、デジタルカメラ１の動作内容に関する種々の設定を行うための設定画面を液晶モニタ６に表示させるために使用される。
【００２１】
カーソルキー９は、液晶モニタ６に種々の設定画面やメニュー画面が表示されているとき、ユーザによる設定項目の選択や、設定値の入力（又は選択）に使用される。また、セットキー１０は、設定画面やメニュー画面において選択又は入力された設定内容の決定に使用される。
【００２２】
なお、デジタルカメラ１には、記録モードの下位モードとして、通常の静止画撮影を行うための通常モードと、シャッターキー４が押されている間に所定回数の連続撮影を行う連写モードとが用意されている。通常モードと連写モードとは、記録モードの設定中にメニューキー８及びカーソルキー９、セットキー１０を操作することによって随時切り替え可能である。また、連写モードでは撮影回数の設定も可能である。
【００２３】
図２は、デジタルカメラ１の電気的構成の概略を示すブロック図である。図２に示したように、デジタルカメラ１は、主としてＣＰＵ１１と、ＣＰＵ１１にバス１２を介して接続された撮像部１３、画像記憶部１４、操作部１５、表示部１６、プログラムメモリ１７、ＲＡＭ１８とから構成されている。
【００２４】
撮像部１３は、被写体に応じた撮像信号を出力するＣＣＤやＣＭＯＳ型の撮像素子と、撮像素子から出力された撮像信号を処理するとともにデジタル信号に変換するＡＦＥ（Analog Front End）とから構成される。そして、撮像部１３は被写体の画像データを取得し、つまり被写体を撮像し、取得した被写体の画像データをＣＰＵ１１へ供給する。
【００２５】
画像記憶部１４は、デジタルカメラ１の本体に着脱自在な各種のメモリカード、及びメモリカードにおけるデータの入出力を可能とするカードインターフェースから構成され、記録モードで撮影された画像（静止画像）のデータを記憶する部分であって、本発明の画像記憶手段として機能する。
【００２６】
操作部１５は、図１に示した電源キー３と、シャッターキー４等の各種のスイッチ類から構成され、ユーザにより各種のスイッチ類の操作状態を示す操作信号をＣＰＵ１１へ随時供給する。
【００２７】
表示部１６は、液晶モニタ６を構成するバックライト付きのカラー液晶表示パネルと、カラー液晶表示パネルを駆動する表示駆動回路とから構成される。
【００２８】
プログラムメモリ１７は、ＥＥＰＲＯＭやフラッシュメモリ等のデータが書き換え可能なメモリである。プログラムメモリ１７には、デジタルカメラ１の動作を規定する設定データと、ＣＰＵ１１にデジタルカメラ１を制御させるための制御プログラムが記憶されている。
【００２９】
設定データは、ユーザーにより設定されたデジタルカメラ１の種々の機能に関する設定データや、ＣＰＵ１１が必要に応じて自動的に設定した設定データであり、適宜書き替えられるデータである。制御プログラムには、ＣＰＵ１１に後述する処理を行わせることによって、ＣＰＵ１１を本発明の確認手段、設定手段、表示制御手段として機能させるプログラムが含まれる。
【００３０】
さらに、プログラムメモリ１７には、撮影時に取得した画像の圧縮、及び伸張処理を行わせためのプログラムも記憶されている。
【００３１】
ＣＰＵ１１による画像の圧縮は、ＪＰＥＧ（Joint Photographic Expert Group）方式によるものである。撮影時においてＣＰＵ１１は、ＲＡＭ１８を作業用メモリとして使用し、撮像部１３から供給された画像データを圧縮した後、圧縮後の画像データを所定の付加情報と共に静止画ファイルとして画像記憶部１４に格納する。
【００３２】
図３は、撮影時に画像記憶部１４に格納される静止画ファイル１００の構造を便宜的に示した概念図である。図３に示したように静止画ファイル１０１は、主画像データ領域１０１とファイルヘッダ領域１０２とから構成される。
【００３３】
主画像データ領域１０１は圧縮後の画像データが記述される領域である。ファイルヘッダ領域１０２は付加情報が記述される領域であり、ファイルヘッダ領域１０２には、ファイル名格納領域１０３と、グループＩＤ格納領域１０４と、グループＩＤ−ｎｏ．格納領域１０５とが含まれる。
【００３４】
ファイル名格納領域１０３は、静止画ファイル１０１に与えられたファイル名が記述される領域である。ファイル名は、通常モード及び連写モードで取得される全ての静止画ファイルにおいて共通する規則に従い付されるものであり、接頭辞（「ＣＩＭＧ」）と、格納順を示す番号と、ファイルタイプを示す拡張子（「．ＪＰＧ」）とから構成される。
【００３５】
したがって、連写モードでの連続撮影時に取得された静止画ファイル１０１のファイル名格納領域１０３には、例えば撮影枚数が２０枚であれば、「ＣＩＭＧ０００１．ＪＰＧ」、「ＣＩＭＧ０００２．ＪＰＧ」、「ＣＩＭＧ０００３．ＪＰＧ」、・・・「ＣＩＭＧ００２０．ＪＰＧ」等のファイル名がそれぞれ記述される。
【００３６】
グループＩＤ格納領域１０４は、静止画像のグループを示すグループＩＤが記述される領域である。本実施形態において、連写モードで撮影された一連の画像（以下、連写画像という。）の静止画ファイル１０１、すなわち連続撮影によって取得された一連の静止画ファイル１０１のグループＩＤ格納領域１０４には、同一のグループＩＤが記述される。
【００３７】
グループＩＤ−ｎｏ．格納領域１０５は、連写画像における各画像の撮影順を示すグループＩＤ−ｎｏ．が記述される領域である。例えば連写画像の枚数（撮影枚数）が２０枚であれば、グループＩＤ−ｎｏ．格納領域１０５には、グループＩＤ−ｎｏ．として「１」〜「２０」のいずれかの数値が記述される。
【００３８】
なお、通常モードでの静止画撮影時に取得された静止画ファイル１０１には、グループＩＤ格納領域１０４、及びグループＩＤ−ｎｏ．格納領域１０５の双方に「ＮＵＬ」が記述される。
【００３９】
次に、以上の構成からなるデジタルカメラ１の本発明に係る動作について説明する。まず、ユーザーが起動画面に使用する静止画像を設定するときのＣＰＵ１１の動作について説明する。なお、起動画面の設定は、ユーザーが、デジタルカメラ１の動作内容の設定用に用意された設定画面を所定のボタン操作によって液晶モニタ６に表示せた後、その設定画面から起動画面の設定を選択することにより適宜行うことができる。
【００４０】
図４は、ユーザーによって起動画面の設定が選択されたときＣＰＵ１１が実行する起動画面設定処理を示したフローチャートである。
【００４１】
起動画面設定処理においてＣＰＵ１１は、まず、ユーザーに起動画面に使用すべき起動用の画像を選択させる（ステップＳＡ１）。ステップＳＡ１の処理に際してＣＰＵ１１は、画像記憶部１４に格納されている記録画像を、液晶モニタ６に一覧形式で表示させたり、ユーザーのキー操作に応じて個別に表示させたりする。なお、ステップＳＡ１の処理でＣＰＵ１１がユーザーに選択させる画像が本発明における第１の画像である。
【００４２】
その後、ＣＰＵ１１は、ユーザーによって起動用の画像が選択されたら（ステップＳＡ２：ＹＥＳ）、ユーザーに選択された画像（以下、選択画像）の静止画ファイルにおけるグループＩＤ格納領域１０４にグループＩＤが記述されているか否かを確認することにより、選択画像が連写画像に属する画像であるか否かを判断する（ステップＳＡ３）。
【００４３】
そして、ＣＰＵ１１は、選択画像が連写画像に属する画像でなければ（ステップＳＡ３：ＮＯ）、選択画像のみを起動画面として設定する（ステップＳＡ４）。つまりＣＰＵ１１は、プログラムメモリ１７に記憶されている設定データに、起動画面に使用すべき画像として選択画像のファイル名を記述する。しかる後、ＣＰＵ１１は起動画面設定処理を完了する。
【００４４】
一方、ＣＰＵ１１は、選択画像が連写画像に属する画像であった場合には（ステップＳＡ３：ＹＥＳ）、引き続き、画像記憶部１４に、グループＩＤ格納領域１０４に選択画像と同一のグループＩＤが記述されている記録画像、つまり連写モードで選択画像と相前後して撮影された他の連写画像が格納されているか否かを確認する（ステップＳＡ５）。そして、他の連写画像が格納されていない場合には（ステップＳＡ５：ＮＯ）、選択画像のみを起動画面として設定する（ステップＳＡ４）。
【００４５】
また、ＣＰＵ１１は、画像記憶部１４に他の連写画像が格納されている場合には（ステップＳＡ５：ＹＥＳ）、さらに、選択画像を含む連写画像の枚数が規定枚数（Ｘ）を超える枚数であるか否かを確認する（ステップＳＡ６）。ステップＳＡ６の処理に際してＣＰＵ１１は、画像記憶部１４に格納されている記録画像（静止画ファイル）のうち、グループＩＤ格納領域１０４に選択画像と同一のグループＩＤが記述されている記録画像を対象として、各記録画像のグループＩＤ−ｎｏ．格納領域１０５に記述されているグループＩＤ−ｎｏ．をそれぞれ確認する。そして、ＣＰＵ１１は、全てのグループＩＤ−ｎｏ．のうちで最大の数値を連写画像の枚数として、当該枚数が規定枚数（Ｘ）であるか否かを確認する。
【００４６】
そして、ＣＰＵ１１は、連写画像の枚数が規定枚数（Ｘ）以下であれば（ステップＳＡ６：ＮＯ）、選択画像と、連写画像における選択画像以外の他の画像である関連画像とを起動画面として設定する（ステップＳＡ７）。つまりＣＰＵ１１は、プログラムメモリ１７に記憶されている設定データに、起動画面に使用すべき画像として、選択画像と、全ての関連画像とのファイル名を記述する。しかる後、ＣＰＵ１１は起動画面設定処理を完了する。
【００４７】
図５（ａ）〜図５（ｃ）は、規定枚数（Ｘ）が５枚であり、かつ連写画像が３枚のとき、ステップＳＡ７の処理で起動画面として設定される選択画像Ｇａと関連画像Ｇｂとの関係を示した図である。すなわち図５（ａ）は選択画像Ｇａの撮影順が１番目のときの例、図５（ｂ）は選択画像Ｇａの撮影順が２番目のときの例、図５（ｃ）は選択画像Ｇａの撮影順が３番目のときの例である。
【００４８】
一方、連写画像の枚数が規定枚数（Ｘ）を超えている場合（ステップＳＡ６：ＹＥＳ）、ＣＰＵ１１は以下の処理を行う。まず、ＣＰＵ１１は、連写画像に、撮影順が選択画像よりも先の先行画像と、撮影順が選択画像よりも後の後続画像との双方が含まれているか否かを判断する（ステップＳＡ８）。
【００４９】
そして、ＣＰＵ１１は、連写画像に先行画像と後続画像とのいずれか一方しか含まれていなければ（ステップＳＡ８：ＮＯ）、選択画像と、規定枚数より１枚少ない枚数（Ｘ−１）の先行画像、又は後続画像とを起動画面として設定する（ステップＳＡ９）。つまりＣＰＵ１１は、プログラムメモリ１７に記憶されている設定データに、起動画面に使用すべき画像として、選択画像と、全ての先行画像、又は後続画像のファイル名を記述する。しかる後、ＣＰＵ１１は起動画面設定処理を完了する。
【００５０】
図５（ｄ）、図５（ｅ）は、規定枚数（Ｘ）が５枚であり、かつ連写画像が６枚以上のとき、ステップＳＡ９の処理で起動画面として設定される選択画像Ｇａと関連画像Ｇｂとの関係を示した図である。
【００５１】
すなわち図５（ｄ）に示したように、選択画像Ｇａの撮影順が１番目のときには、撮影順が２番目〜５番目の後続画像である４枚の関連画像Ｇｂが選択画像Ｇａと共に起動画面として設定される。また、図５（ｅ）に示したように、選択画像Ｇａの撮影順がｎ番目のときには、撮影順がｎ−４番目〜ｎ−１番目の先行画像である４枚の関連画像Ｇｂが選択画像Ｇａと共に起動画面として設定される。
【００５２】
また、連写画像に先行画像と後続画像との双方が含まれている場合（ステップＳＡ８：ＹＥＳ）、ＣＰＵ１１は、選択画像と、先行画像及び後続画像からなる規定枚数より１枚少ない枚数（Ｘ−１）の関連画像とを起動画面として設定する（ステップＳＡ１０）。つまりＣＰＵ１１は、プログラムメモリ１７に、起動画面として使用する静止画像を示す設定データとして、選択画像と、先行画像及び後続画像からなる規定枚数より１枚少ない枚数の関連画像のファイル名を記憶する。しかる後、ＣＰＵ１１は起動画面設定処理を完了する。
【００５３】
図５（ｆ）は、規定枚数（Ｘ）が５枚であり、かつ連写画像が７枚以上のとき、ステップＳＡ１０の処理で起動画面として設定される選択画像Ｇａと関連画像Ｇｂとの関係を示した図である。すなわち図５（ｆ）に示したように、選択画像Ｇａの撮影順がｎ番目のときには、撮影順がｎ−２番目、及びｎ−１番目の先行画像である２枚の関連画像Ｇｂと、撮影順がｎ＋１番目、及びｎ＋２番目の後続画像である２枚の関連画像Ｇｂとが選択画像Ｇａと共に起動画面として設定される。
【００５４】
以上のように起動画面設定処理においては、ユーザーが連写画像（連写モードで撮影された一連の画像）のうちの任意の１枚を選択した場合には、選択された画像と共に撮影された他の画像である関連画像Ｇｂが、選択画像Ｇと共に起動用の画像として自動的に設定される。なお、ステップＳＡ７，ＳＡ９，ＳＡ１０の各処理で、選択画像Ｇａと共に起動画面として設定される関連画像Ｇｂが本発明における第２の画像である。
【００５５】
次に、デジタルカメラ１において、ユーザーによって電源が投入されたときの起動画面の表示に関する動作について説明する。図６は、電源投入直後の起動タイミングで行われるデジタルカメラ１のハードウェア及びソフトウェア双方における種々の初期化作業に伴いＣＰＵ１１が実行する起動画面表示処理を示したフローチャートである。
【００５６】
図６に示したように、ＣＰＵ１１は、まずプログラムメモリ１７に記憶されている設定データを読み出し、起動画面に使用すべき画像（記録画像）が設定されているか否かを確認する（ステップＳＢ１）。
【００５７】
そして、ＣＰＵ１１は、起動画面に使用すべき画像が設定されていない場合には（ステップＳＢ１：ＮＯ）、予め用意されている規定の起動画面（例えばメーカーのロゴ）を液晶モニタ６に一定時間（数秒間）表示した後（ステップＳＢ４）、起動画面表示処理を完了する。
【００５８】
一方、ＣＰＵ１１は、起動画面に使用すべき画像が設定されている場合には（ステップＳＢ１：ＹＥＳ）、以下の処理を行う。
【００５９】
まず、ＣＰＵ１１は、設定されている画像が１枚のときには（ステップＳＢ３：ＮＯ）、設定されている画像のデータを画像記憶部１４から読み出すとともに、読み出したデータに基づく静止画像を液晶モニタ６に一定時間（数秒間）表示した後（ステップＳＢ４）、起動画面表示処理を完了する。
【００６０】
また、ＣＰＵ１１は、設定されている画像が複数枚であるときには（ステップＳＢ３：ＹＥＳ）、設定されている複数の画像のデータを画像記憶部１４から撮影順に読み出すとともに、読み出したデータに基づく静止画像を順に液晶モニタ６に表示した後（ステップＳＢ４）、起動画面表示処理を完了する。
【００６１】
図７は、ステップＳＢ４の処理に際して液晶モニタ６に表示される複数の静止画像からなる起動画面の変化を示した遷移図である。より具体的には、起動画面の設定時にユーザーが選択した画像が連写画像のうちで撮影順がｎ番目の画像であり、例えば図５（ｆ）に示したように、選択画像Ｇａと先行画像及び後続画像を含む関連画像Ｇｂとからなる複数の画像が起動画面として設定されていた場合の遷移図である。
【００６２】
以上説明のようにデジタルカメラ１においては、ユーザーが起動画面の設定に際して連写画像のうちの任意の１枚を起動用の画像として選択した場合には、選択された選択画像Ｇａと共に連写画像を構成する１又は複数の関連画像Ｇｂが、選択画像Ｇと共に起動用の画像として自動的に設定される。そして、電源投入直後の起動タイミングでは、選択画像Ｇａと１又は複数の関連画像Ｇｂとが相前後して液晶モニタ６に表示される。
【００６３】
したがって、デジタルカメラ１においては、ユーザーが起動用の画像として連写画像のうちの任意の１枚を設定した場合であっても、起動画面にはユーザーの意図を確実に反映させることができる。
【００６４】
また、画像記憶部１４に複数の関連画像Ｇｂが格納されている場合、ＣＰＵ１１が規定数（Ｘ）を上限とした複数の関連画像Ｇｂを、選択画像Ｇａと共に起動用の画像として設定する。つまりデジタルカメラ１においては、起動用の画像として使用すべき関連画像Ｇｂの数が規定数（Ｘ）に制限されている。よって、ユーザーが起動用の画像として連写画像のうちの任意の１枚を設定した場合に、起動画面の表示期間が徒に長期化するようなことがなく、都合がよい。
【００６５】
また、画像記憶部１４に格納されている関連画像Ｇｂに、撮影順が選択画像Ｇａよりも先の先行画像と、撮影順が選択画像よりも後の後続画像との双方が含まれている場合には、ユーザーによる起動画面の設定に際してＣＰＵ１１が、先行画像と後続画像との双方を、選択画像Ｇａと共に起動用の画像として設定する。よって、起動画面にはユーザーの意図をより確実に反映させることができる。
【００６６】
しかも、起動画面の表示に際しては、ＣＰＵ１１が選択画像Ｇａと１又は複数の関連画像Ｇｂとを、撮影順に従い相前後して液晶モニタ６に表示させるため、起動画面にはユーザーの意図をより一層確実に反映させることができる。
【００６７】
なお、本実施形態においては、起動用の画像として、ユーザーにより選択された選択画像と共に自動的に設定する関連画像が、連写モードにおいて選択画像と共に撮影された他の連写画像である場合について説明した。しかし、自動的に設定する関連画像は、画像記憶部１４に、ユーザーにより選択された選択画像と関連付けられて格納されているものであれば、他の画像でも構わない。
【００６８】
例えばデジタルカメラ１が動画像の撮影機能を備えており、画像記憶部１４に動画ファイルとして格納されている動画像の任意のフレーム（コマ）の画像を起動用の画像として設定可能な構成であれば、ユーザーにより選択された選択画像と共に起動用の画像として自動的に設定する関連画像は、ユーザーにより選択されたフレームと異なるフレームの画像としても構わない。
【００６９】
さらに、ユーザーにより選択された選択画像と共に起動用の画像として自動的に設定する関連画像は、選択画像と時間的に関連するものでなくともよく、その場合には、起動タイミングで選択画像と関連画像とを表示させる際の表示順は任意である。
【００７０】
また、本実施形態では、ユーザーにより設定された画像を電源投入直後の起動タイミングで表示する構成について説明したが、本発明は、ユーザーにより設定された画像を表示するタイミングが、決められている特定の表示タイミングであれば起動タイミング以外の他のタイミングである構成であっても適用することができる。
【００７１】
また、本発明は、ユーザーにより設定された画像を特定の表示タイミングで表示するモニタ等の表示手段を備えたものであれば、デジタルカメラ以外の任意の電子機器にも適用することができる。
【符号の説明】
【００７２】
１    デジタルカメラ
３    電源キー
６    液晶モニタ
７    モード切換スイッチ
８    メニューキー
９    カーソルキー
１０    セットキー
１１    ＣＰＵ
１３    撮像部
１４    画像記憶部
１６    表示部
１７    プログラムメモリ
【図１】
2011139178.tif 000003
【図２】
2011139178.tif 000004
【図３】
2011139178.tif 000005
【図４】
2011139178.tif 000006
【図５】
2011139178.tif 000007
【図６】
2011139178.tif 000008
【図７】
2011139178.tif 000009
【手続補正書】
【提出日】平成21年12月28日(2009.12.28)
【手続補正１】
【補正対象書類名】特許請求の範囲
【補正対象項目名】請求項１
【補正方法】変更
【補正の内容】
【請求項１】
複数の画像を格納した画像記憶手段と、
この画像記憶手段に、使用者に指定された第１の画像に関連付けられている関連画像が
格納されているか否かを確認する確認手段と、
この確認手段によって画像記憶手段に格納されていることが確認された関連画像を、特
定の表示タイミングで前記第１の画像と相前後して前記表示手段に表示すべき第２の画像
として設定する設定手段と
を備えたことを特徴とする画像表示装置。